(57)【要約】簡易な構成でフィルタの除塵が可能な集塵機を提供する。集塵機１は、タンク部１０と、ヘッド部２０とを備える。タンク部１０は、側面に吸込口１１を有し、塵埃を収容する集塵室１３を内部に有する。ヘッド部２０は、モータ２３及びモータ２３により駆動する集塵ファン２５を有する。集塵室１３内に、吸込口１１から吸い込まれた空気が通過する際に塵埃を分離する筒状のフィルタ装置１２が設けられる。通路部材５０は、フィルタ装置１２の内側のフィルタ内空間１４と外気とをフィルタ装置１２を介さずに連通させる空気通路を形成する。蓋体６０は、通路部材５０を開閉可能に閉じる。通路部材５０は、フィルタ内空間１４に臨む複数の第１開口部５３を、フィルタ装置１２の周方向の異なる位置に有する。
2019116681.tif 000002
【特許請求の範囲】
【請求項１】
吸込口と連通し、塵埃を収容する集塵室と、モータ及び前記モータにより駆動する集塵ファンを有する本体と、前記集塵室内に設けられ、前記吸込口から吸い込まれた空気が通過する際に塵埃を分離する筒状のフィルタ装置と、前記フィルタ装置の内側のフィルタ内空間と外気とを前記フィルタ装置を介さずに連通させる空気通路を形成する通路部材と、前記通路部材を開閉可能に閉じる閉塞部と、を備え、前記通路部材は、前記フィルタ内空間に臨む複数の第１開口部を、前記フィルタ装置の周方向の異なる位置に有する、集塵機。
【請求項２】
前記複数の第１開口部のうち前記通路部材の外気取入口からの導風距離が遠い第１開口部は、前記導風距離が近い第１開口部と比較して開口面積が大きい、請求項１に記載の集塵機。
【請求項３】
吸込口と連通し、塵埃を収容する集塵室と、モータ及び前記モータにより駆動する集塵ファンを有する本体と、前記集塵室内に設けられ、前記吸込口から吸い込まれた空気が通過する際に塵埃を分離する筒状のフィルタ装置と、前記フィルタ装置の内側のフィルタ内空間と外気とを前記フィルタ装置を介さずに連通させる空気通路を形成する通路部材と、前記通路部材を開閉可能に閉じる閉塞部と、を備え、前記通路部材は、前記フィルタ内空間に臨む第１開口部を有し、前記第１開口部は、前記フィルタ装置の周方向において互いに９０度以上異なる位置で前記通路部材の内側の空間と前記フィルタ装置の内側の空間とを互いに連通させる、集塵機。
【請求項４】
前記通路部材は、前記フィルタの周方向に延びる第１ダクト部を有し、前記第１ダクト部に、前記第１開口部が設けられる、請求項１から３のいずれか一項に記載の集塵機。
【請求項５】
前記通路部材は、一端が前記第１ダクト部に接続された第２ダクト部を有し、前記第２ダクト部は、外気側に向けて開口した第２開口部を他端に有する、請求項４に記載の集塵機。
【請求項６】
前記閉塞部による前記通路部材の開閉を切り替える操作部を備える、請求項１から５のいずれか一項に記載の集塵機。
【請求項７】
前記閉塞部が前記通路部材を閉じる際に前記吸込口を閉鎖する閉鎖部材を備える、請求項１から６のいずれか一項に記載の集塵機。
【請求項８】
前記集塵室を内部に有するタンク部を備え、前記本体は、前記タンク部の上方に接続されたヘッド部である、請求項１から７のいずれか一項に記載の集塵機。
【発明の詳細な説明】
【技術分野】
【０００１】
本発明は、塵埃を収集する集塵機に関する。
【背景技術】
【０００２】
集塵機において、フィルタの作業可能時間を長くするため、フィルタに付着した塵埃を除去する除塵機構を有する集塵機が存在する。
【先行技術文献】
【特許文献】
【０００３】
【特許文献１】特開２００７−１９０３０３号公報
【発明の概要】
【発明が解決しようとする課題】
【０００４】
特許文献１の集塵機における除塵機構は、除塵モータにより除塵子を駆動してフィルタに付着した塵埃を打撃（振動）により叩き落とすものであるが、フィルタの目詰まりを検出する手段や除塵モータ、除塵子等が必要で部品点数が多く、構成が複雑になるという課題があった。【０００５】
本発明はこうした状況を認識してなされたものであり、その目的は、簡易な構成でフィルタの除塵が可能な集塵機を提供することにある。
【課題を解決するための手段】
【０００６】
本発明のある態様は、集塵機である。この集塵機は、吸込口と連通し、塵埃を収容する集塵室と、モータ及び前記モータにより駆動する集塵ファンを有する本体と、前記集塵室内に設けられ、前記吸込口から吸い込まれた空気が通過する際に塵埃を分離する筒状のフィルタ装置と、前記フィルタ装置の内側のフィルタ内空間と外気とを前記フィルタ装置を介さずに連通させる空気通路を形成する通路部材と、前記通路部材を開閉可能に閉じる閉塞部と、を備え、前記通路部材は、前記フィルタ内空間に臨む複数の第１開口部を、前記フィルタ装置の周方向の異なる位置に有する。【０００７】
前記複数の第１開口部のうち前記通路部材の外気取入口からの導風距離が遠い第１開口部は、前記導風距離が近い第１開口部と比較して開口面積が大きくてもよい。【０００８】
本発明のもう１つの態様は、集塵機である。この集塵機は、吸込口と連通し、塵埃を収容する集塵室と、モータ及び前記モータにより駆動する集塵ファンを有する本体と、前記集塵室内に設けられ、前記吸込口から吸い込まれた空気が通過する際に塵埃を分離する筒状のフィルタ装置と、前記フィルタ装置の内側のフィルタ内空間と外気とを前記フィルタ装置を介さずに連通させる空気通路を形成する通路部材と、前記通路部材を開閉可能に閉じる閉塞部と、を備え、前記通路部材は、前記フィルタ内空間に臨む第１開口部を有し、前記第１開口部は、前記フィルタ装置の周方向において互いに９０度以上異なる位置で前記通路部材の内側の空間と前記フィルタ装置の内側の空間とを互いに連通させる。【０００９】
前記通路部材は、前記フィルタの周方向に延びる第１ダクト部を有し、前記第１ダクト部に、前記第１開口部が設けられてもよい。【００１０】
前記通路部材は、一端が前記第１ダクト部に接続された第２ダクト部を有し、前記第２ダクト部は、外気側に向けて開口した第２開口部を他端に有してもよい。【００１１】
前記閉塞部による前記通路部材の開閉を切り替える操作部を備えてもよい。【００１２】
前記閉塞部が前記通路部材を閉じる際に前記吸込口を閉鎖する閉鎖部材を備えてもよい。【００１３】
前記集塵室を内部に有するタンク部を備え、前記本体は、前記タンク部の上方に接続されたヘッド部であってもよい。【００１４】
なお、以上の構成要素の任意の組合せ、本発明の表現を方法やシステムなどの間で変換したものもまた、本発明の態様として有効である。
【発明の効果】
【００１５】
本発明によれば、簡易な構成でフィルタの除塵が可能な集塵機を提供することができる。
【図面の簡単な説明】
【００１６】
【図１】本発明の実施の形態に係る集塵機１の右側断面図。
【図２】集塵機１の吸込口１１を閉鎖部材１９で閉じた状態を示す要部右側断面図。
【図３】集塵機１の平面図。
【図４】集塵機１の通路部材５０を開閉する蓋体６０の動作を示す要部断面図。
【図５】通路部材５０の斜視図。
【図６】通路部材５０の一部を断面とした斜視図。
【図７】通路部材５０の下側通路部材５７の斜視図。
【発明を実施するための形態】
【００１７】
以下、図面を参照しながら本発明の好適な実施の形態を詳述する。なお、各図面に示される同一または同等の構成要素、部材等には同一の符号を付し、適宜重複した説明は省略する。また、実施の形態は発明を限定するものではなく例示であり、実施の形態に記述されるすべての特徴やその組み合わせは必ずしも発明の本質的なものであるとは限らない。
【００１８】
図１により、集塵機（電動集塵機）１における互いに直交する前後、上下方向を定義する。図１において、集塵ファン２５の発生する気流の流れを破線の矢印で示す。集塵機１は、タンク部１０と、本体としてのヘッド部２０と、を備える。タンク部１０及びヘッド部２０は、相互に分離可能である。
【００１９】
タンク部１０は、上部が開放された底付の筒状で、水平断面が図３に示すように略四角形（図示の例では丸みを帯びた正方形ないし長方形）となっている。タンク部１０は、前側の側面に吸込口１１を有し、吸込口１１に図示しないホースを着脱可能に接続できる。タンク部１０内には、吸込口１１から吸い込まれた空気が通過する際に塵埃（粉塵）を分離する（吸引した塵埃をろ過する）筒状のフィルタ装置１２が設けられる。フィルタ装置１２は、軸が上下方向と略平行な略円錐台側面形状である。フィルタ装置１２の外周面は細かい網目を有する布等で形成されるフィルタ状であり、空気はこの外周面を通過することでフィルタ装置１２内部のフィルタ内空間１４に進入可能であるが、空気に含まれる塵埃は網目を通過できず、フィルタ装置１２の外周面でろ過され、フィルタ装置１２の外周面上に付着するか下方へ落下する。タンク部１０内の空間は、集塵室１３であり、集塵室１３のうちフィルタ装置１２の外側の空間に、フィルタ装置１２により分離された塵埃を収容する。フィルタ内空間１４は、タンク部１０内におけるフィルタ装置１２の内側の空間であって、ファンカバー２７の外側の空間である。
【００２０】
ヘッド部２０は、タンク部１０の上部に、例えば図示しないクランプ機構によって着脱可能に固定される。ヘッド部２０は、ヘッドハウジング２１の内部に、モータ２３と、モータ冷却用ファン２４と、集塵ファン２５と、を有する。ヘッドハウジング２１の一部を構成するファンカバー２７は、タンク部１０の内部に入り込み、フィルタ内空間１４と、集塵ファン２５を収容したファン室２８と、を隔てる。ファンカバー２７はフィルタ装置１２と略同軸の略筒形状であり、フィルタ装置１２の上方からフィルタ装置１２の内部へ入り込むように下方（ヘッド部２０から見てタンク部２０側）へ凸となるため、ファンカバー２７の外周とフィルタ装置１２の内周とで形成されるフィルタ内空間１４は、ファンカバー２７の中心軸方向においてファンカバー２７と重なる範囲においては、環状に形成される。
【００２１】
モータ２３は、その出力軸が上下方向に延びるようにヘッド部２０内に配設される。モータ２３はここではブラシレスモータであり、モータ２３の上部には、モータ２３に駆動電流を供給するためのスイッチング素子を搭載したスイッチング素子基板２６が上下方向と略垂直に設けられる。モータ冷却用ファン２４と集塵ファン２５は、モータ２３の出力軸に取り付けられ、モータ２３によって回転駆動される。モータ冷却用ファン２４は、モータ２３の直下に位置する軸流ファンであり、下方に向かう気流を発生する。集塵ファン２５は、モータ冷却用ファン２４の下方に設けられた遠心ファンである。
【００２２】
図３に示すように、ヘッド部２０の前面には、集塵機１の動作を使用者が切り替えるための操作パネル３０が設けられる。操作パネル３０は、メイン電源スイッチ３１と、強弱切替スイッチ３２と、単動／連動切替スイッチ３３と、電池残量表示スイッチ３４と、電池残量表示部３５と、を有する。なお、単動とは、集塵機１が単体で動作するモードであり、連動とは、集塵機１に図示しない丸のこ等の他の電動工具を電源ケーブルで接続して電源供給を可能にしておき、他の電動工具への電源供給を検出すると、すなわち他の電動工具が駆動されると集塵機１が駆動するモード（機能）である。図３に示すように、集塵機１は、着脱可能に装着した２つの電池パック４０を電源とするコードレスタイプであり、電池残量表示スイッチ３４を押すと、電池残量表示部３５に各電池パック４０の残量がＬＥＤ等により複数段階で表示される。
【００２３】
集塵機１においてモータ２３を駆動すると、モータ冷却用ファン２４及び集塵ファン２５が回転駆動される。集塵ファン２５の回転により、タンク部１０内が負圧になり、吸込口１１に吸込み力が発生する。すると、図１に破線の矢印で示すように、塵埃が空気と共に吸込口１１からタンク部１０内に吸い込まれる。その後、フィルタ装置１２によって塵埃と空気は分離され、塵埃は集塵室１３のうちフィルタ装置１２の外側の空間に溜められる。一方、空気は、フィルタ装置１２の外周面を通過してフィルタ内空間１４に入り、ファンカバー２７の下面の図示しない開口部からファン室２８内に入り、モータ２３と隔てられた空間を抜けて外部に排気される。塵埃はフィルタ装置１２の外周面で捕集されて集塵室１３内に溜められるが、一部の塵埃はフィルタ装置１２の外周面に付着し、吸引効率の低下や目詰まりの原因となる。以下、フィルタ装置１２の外周面に付着した塵埃を除去する除塵機構について説明する。
【００２４】
除塵機構は、通路部材５０と、蓋体６０と、を有する。通路部材５０は、フィルタ内空間１４と外気とをフィルタ装置１２を介さずに連通させる空気通路（導風路）を形成する部材であり、ヘッド部２０内に設けられる。通路部材５０は、ヘッドハウジング２１と別体であってヘッドハウジング２１の特にファンカバー２７に着脱可能に取り付けられる。なお、通路部材５０は、ヘッドハウジング２１と一体の成形体であってもよい。蓋体６０は、通路部材５０を開閉可能に閉じる閉塞部を成す。
【００２５】
通路部材５０は、例えば樹脂成形体であって、第１ダクト部５１と、第２ダクト部５２と、を含む。第１ダクト部５１は、フィルタ装置１２の周方向（上下方向と平行な軸周り方向）に延び、例えばフィルタ装置１２の中心軸と同軸な略円弧状の空気通路を形成する。第１ダクト部５１は、フィルタ装置１２の周方向に一周してもよい。第１ダクト部５１は、自身の下面に複数の第１開口部５３を有する。複数の第１開口部５３は、フィルタ装置１２の周方向の互いに異なる位置に設けられ（図示の例では約１２０度の間隔（略等間隔）で設けられ）、それぞれフィルタ内空間１４に臨む。第２ダクト部５２は、一端（下端）が第１ダクト部５１に接続され、上下方向に延び、外気側に向けて開口した第２開口部５４を他端（上端）に有する。
【００２６】
複数の第１開口部５３は、通路部材５０の外気取入口（第２開口部５４）からの導風距離が遠いものほど開口面積が大きい。図３及び図７では、複数の第１開口部５３を、導風距離が近いものから順に符号を５３ａ、５３ｂ、５３ｃとして区別している。第１開口部５３ｃは、第１開口部５３ｂより開口面積が大きく、第１開口部５３ｂは、第１開口部５３ａより開口面積が大きい。これは、開口面積が同じ場合、導風距離が遠くなるほど空気の流量が減ることを考慮し、導風距離が遠い第１開口部５３ほど開口面積を大きくすることで、各々の第１開口部５３を通る空気の流量がなるべく等しくなるようにしたものである。
【００２７】
通路部材５０は、ここでは上下二分割構造であり、上側通路部材５６と、下側通路部材５７と、を組み合わせたもの（例えばネジ止め等により一体化したもの）である。上側通路部材５６は、第２ダクト部５２と、第１ダクト部５１の上部と、を成す。下側通路部材５７は、第１ダクト部５１の下部を成す。下側通路部材５７の下面に第１開口部５３が設けられる。
【００２８】
蓋体６０は、揺動軸（回動軸）６３を介して第２ダクト部５２の上端部に連結され、揺動軸６３に対して上下に揺動することで第２開口部５４を開閉する。付勢手段としてのねじりバネ６２は、蓋体６０を下方に（図４の反時計回り方向に）、すなわち第２開口部５４を閉じる方向に付勢する。開閉操作部６１は、使用者が蓋体６０を開ける（蓋体６０を上方に揺動させて第２開口部５４を開く）ための操作部である。使用者は押しボタンの要領で開閉操作部６１を上から下に向けて押すことで、図４に二点鎖線で示すように蓋体６０を上方に揺動させ（図４の時計回り方向に回動させ）、第２開口部５４を開けることができる。
【００２９】
除塵機構による除塵を行う際には、蓋体６０が第２開口部５４を閉じた状態で、使用者は、吸込口１１を手で塞ぎ（あるいは図２に示すようにゴム等の閉鎖部材１９で塞ぎ）、操作パネル３０の操作により集塵機１を起動する（モータ２３の駆動により集塵ファン２５を動作させる）。すると、吸込口１１からの空気の流入が無いため、タンク部１０内は減圧状態となる。使用者は、タンク部１０内が減圧された状態で開閉操作部６１を操作して蓋体６０を開く。すると、第２開口部５４から空気が流入し、流入した空気（除塵用の気流）は、通路部材５０によってガイド（導風）されて、ファン室２８を通らずに、各々の第１開口部５３からフィルタ内空間１４に勢いよく噴射され、フィルタ装置１２の内側から外側に勢いよく抜ける。これにより、フィルタ装置１２の外周面に付着した塵埃を除去することができる。
【００３０】
上述の除塵機構において、第１開口部５３が一つのみであると、除塵用の気流がフィルタ装置１２の側面のうち第１開口部５３の近傍に位置する一部に集中し、当該一部以外の除塵が不十分になりやすく（除塵が不均一になりやすく）、除塵効率が悪いという課題がある。この点、本実施の形態では、第１開口部５３を複数としてフィルタ装置１２の周方向の互いに異なる位置に設けているため、除塵用の気流をフィルタ装置１２の側面の広範囲に分散させることができ、除塵の均一性を高めて除塵効率を向上させることができる。
【００３１】
本実施の形態によれば、下記の効果を奏することができる。
【００３２】
(1) フィルタ装置１２の周方向の互いに異なる位置に設けた複数の第１開口部５３から除塵用の気流をフィルタ内空間１４に噴出するため、第１開口部５３が一つのみである場合と比較して、フィルタ装置１２の側面に均一に除塵用の気流を当てることができ、フィルタ装置１２の除塵を均一に行えるため、除塵効率を高めることができる。
【００３３】
(2) 第２開口部５４からの導風距離が遠い第１開口部５３ほど開口面積を大きくしているため、全ての第１開口部５３が同じ開口面積である場合と比較して、各々の第１開口部５３から吹き出される除塵用の気流の流量差を小さくすることができ、除塵の均一性を高めて除塵効率を向上させることができる。
【００３４】
(3) 使用者は、開閉操作部６１を押すだけで蓋体６０を開くことができ、また開閉操作部６１から手を離すだけでねじりバネ６２の付勢により蓋体６０を閉じることができ、除塵の作業性が良い。
【００３５】
(4) 除塵の際に吸込口１１を閉鎖する閉鎖部材１９がある場合、除塵作業において吸込口１１を押さえる必要が無い（吸込口１１から手を離すことができる）ため、除塵の作業性が良い。
【００３６】
(5) 蓋体６０を開けて通路部材５０により除塵用の気流をフィルタ内空間１４に噴出する簡易な構成であり、フィルタ装置１２の目詰まりを検出する手段や除塵モータ、除塵子等が不要で部品点数が少ない。
【００３７】
以上、実施の形態を例に本発明を説明したが、実施の形態の各構成要素や各処理プロセスには請求項に記載の範囲で種々の変形が可能であることは当業者に理解されるところである。以下、変形例について触れる。
【００３８】
第１開口部５３は、実施の形態では３つとしたが、２つ又は４つ以上であってもよい。いずれの場合も、第１開口部５３は、フィルタ装置１２の周方向において等角度間隔で配置することで、除塵の均一性を一層高めることができる。
【００３９】
第１開口部５３は、フィルタ装置１２の周方向において９０度以上の長さがあれば、一つのみであってもよい。この場合も、一定の除塵均一化の効果は得られる。第１開口部５３の長さは、長いほど除塵均一化の効果は高く、１２０度以上、１８０度以上、２７０度以上と長くしていくことで、除塵均一化の効果を高めることができる。また、第１開口部５３は、第２開口部５４からの導風距離が遠くなる部分ほど幅を広くしてもよく、これも除塵均一化に効果がある。
【００４０】
閉鎖部材１９は使用者が吸込口１１に嵌め込むことで自由に着脱できる構成とすることで、構造を簡単にし故障等の可能性を低減する効果が得られるが、蓋体６０を開く開閉操作部６１の操作に連動して閉鎖部材１９が吸込口１１を塞ぐ構成としてもよく、この場合使用者の作業手順を減らし簡単にフィルタ装置１２の除塵を行うことが可能となる。この開閉操作部６１と閉鎖部材１９とを連動させる機構は、開閉操作部６１あるいは蓋体６０等と閉鎖部材１９とを繋ぐ機械的なリンク機構を用いてもよいし、開閉操作部６１の操作によってオンとなるスイッチ等を設け、このスイッチの信号によってモータ等を駆動し閉鎖部材１９を移動させる電気的な機構を用いてもよい。
【符号の説明】
【００４１】
１…集塵機、１０…タンク部、１１…吸込口（ホース取付口）、１２…フィルタ装置、１３…集塵室、１４…フィルタ内空間、１９…閉鎖部材、２０…ヘッド部（本体）、２１…ヘッドハウジング、２３…モータ（ブラシレスモータ）、２４…モータ冷却用ファン、２５…集塵ファン、２６…スイッチング素子基板、２７…ファンカバー、２８…ファン室、３０…操作パネル、３１…メイン電源スイッチ、３２…強弱切替スイッチ（タクタイルスイッチ）、３３…単動／連動切替スイッチ、３４…電池残量表示スイッチ、３５…電池残量表示部、４０…電池パック、５０…通路部材、５１…第１ダクト部、５２…第２ダクト部、５３…第１開口部、５４…第２開口部、５６…上側通路部材、５７…下側通路部材、６０…蓋体（閉塞部）、６１…開閉操作部、６２…ねじりバネ、６３…揺動軸（回動軸）
【図１】
2019116681.tif 000003
【図２】
2019116681.tif 000004
【図３】
2019116681.tif 000005
【図４】
2019116681.tif 000006
【図５】
2019116681.tif 000007
【図６】
2019116681.tif 000008
【図７】
2019116681.tif 000009
【手続補正書】
【提出日】令和2年5月26日(2020.5.26)
【手続補正１】
【補正対象書類名】特許請求の範囲
【補正対象項目名】全文
【補正方法】変更
【補正の内容】
【特許請求の範囲】
【請求項１】
吸込口と連通し、塵埃を収容する集塵室と、
モータ及び前記モータにより駆動する集塵ファンを有する本体と、
前記集塵室内に設けられ、前記吸込口から吸い込まれた空気が通過する際に塵埃を分離する筒状のフィルタ装置と、
前記フィルタ装置の内側のフィルタ内空間と外気とを前記フィルタ装置を介さずに連通させる空気通路を形成する通路部材と、
前記通路部材を開閉可能に閉じる閉塞部と、を備え、
前記通路部材は、前記フィルタ内空間に臨む複数の第１開口部を、前記フィルタ装置の周方向の異なる位置に有する、集塵機。
【請求項２】
前記複数の第１開口部のうち前記通路部材の外気取入口からの導風距離が遠い第１開口部は、前記導風距離が近い第１開口部と比較して開口面積が大きい、請求項１に記載の集塵機。
【請求項３】
吸込口と連通し、塵埃を収容する集塵室と、
モータ及び前記モータにより駆動する集塵ファンを有する本体と、
前記集塵室内に設けられ、前記吸込口から吸い込まれた空気が通過する際に塵埃を分離する筒状のフィルタ装置と、
前記フィルタ装置の内側のフィルタ内空間と外気とを前記フィルタ装置を介さずに連通させる空気通路を形成する通路部材と、
前記通路部材を開閉可能に閉じる閉塞部と、を備え、
前記通路部材は、前記フィルタ内空間に臨む第１開口部を有し、
前記第１開口部は、前記フィルタ装置の周方向において互いに９０度以上異なる位置で前記通路部材の内側の空間と前記フィルタ内空間とを互いに連通させる、集塵機。
【請求項４】
前記通路部材は、前記フィルタ装置の周方向に延びる第１ダクト部を有し、
前記第１ダクト部に、前記第１開口部が設けられる、請求項１から３のいずれか一項に記載の集塵機。
【請求項５】
前記通路部材は、一端が前記第１ダクト部に接続された第２ダクト部を有し、
前記第２ダクト部は、外気側に向けて開口した第２開口部を他端に有する、請求項４に記載の集塵機。
【請求項６】
前記閉塞部による前記通路部材の開閉を切り替える操作部を備える、請求項１から５のいずれか一項に記載の集塵機。
【請求項７】
前記閉塞部が前記通路部材を閉じる際に前記吸込口を閉鎖する閉鎖部材を備える、請求項１から６のいずれか一項に記載の集塵機。
【請求項８】
前記集塵室を内部に有するタンク部を備え、
前記本体は、前記タンク部の上方に接続されたヘッド部である、請求項１から７のいずれか一項に記載の集塵機。
【請求項９】
吸込口と連通し、塵埃を収容する集塵室と、
上下方向に延びる出力軸を有するモータと、
前記モータにより駆動する集塵ファンと、
前記モータ及び前記集塵ファンを有する本体と、
前記集塵室内に設けられ、前記吸込口から吸い込まれた空気が通過する際に塵埃を分離するフィルタ装置と、
前記フィルタ装置を通過した空気が進入するフィルタ内空間と外気とを前記フィルタ装置を介さずに連通させる空気通路を形成する通路部材と、
前記通路部材を開閉可能に閉じる閉塞部と、を備え、
前記通路部材は、前記フィルタ内空間に臨む複数の第１開口部を、前記上下方向と平行な軸を中心とする軸周り方向の異なる位置に有する、集塵機。
【請求項１０】
吸込口と連通し、塵埃を収容する集塵室と、
上下方向に延びる出力軸を有するモータと、
前記モータにより駆動する集塵ファンと、
前記モータ及び前記集塵ファンを有する本体と、
前記集塵室内に設けられ、前記吸込口から吸い込まれた空気が通過する際に塵埃を分離するフィルタ装置と、
前記フィルタ装置を通過した空気が進入するフィルタ内空間と外気とを前記フィルタ装置を介さずに連通させる空気通路を形成する通路部材と、
前記通路部材を開閉可能に閉じる閉塞部と、を備え、
前記通路部材は、前記フィルタ内空間に臨む第１開口部を有し、
前記第１開口部は、前記上下方向と平行な軸を中心とする軸周り方向において互いに９０度以上異なる位置で前記通路部材の内側の空間と前記フィルタ内空間とを互いに連通させる、集塵機。
【手続補正２】
【補正対象書類名】明細書
【補正対象項目名】０００８
【補正方法】変更
【補正の内容】
【０００８】
本発明のもう１つの態様は、集塵機である。この集塵機は、
吸込口と連通し、塵埃を収容する集塵室と、
モータ及び前記モータにより駆動する集塵ファンを有する本体と、
前記集塵室内に設けられ、前記吸込口から吸い込まれた空気が通過する際に塵埃を分離する筒状のフィルタ装置と、
前記フィルタ装置の内側のフィルタ内空間と外気とを前記フィルタ装置を介さずに連通させる空気通路を形成する通路部材と、
前記通路部材を開閉可能に閉じる閉塞部と、を備え、
前記通路部材は、前記フィルタ内空間に臨む第１開口部を有し、
前記第１開口部は、前記フィルタ装置の周方向において互いに９０度以上異なる位置で前記通路部材の内側の空間と前記フィルタ内空間とを互いに連通させる。
【手続補正３】
【補正対象書類名】明細書
【補正対象項目名】０００９
【補正方法】変更
【補正の内容】
【０００９】
前記通路部材は、前記フィルタ装置の周方向に延びる第１ダクト部を有し、
前記第１ダクト部に、前記第１開口部が設けられてもよい。
【手続補正４】
【補正対象書類名】明細書
【補正対象項目名】００１３
【補正方法】変更
【補正の内容】
【００１３】
前記集塵室を内部に有するタンク部を備え、前記本体は、前記タンク部の上方に接続されたヘッド部であってもよい。
本発明のもう１つの態様は、集塵機である。この集塵機は、
吸込口と連通し、塵埃を収容する集塵室と、
上下方向に延びる出力軸を有するモータと、
前記モータにより駆動する集塵ファンと、
前記モータ及び前記集塵ファンを有する本体と、
前記集塵室内に設けられ、前記吸込口から吸い込まれた空気が通過する際に塵埃を分離するフィルタ装置と、
前記フィルタ装置を通過した空気が進入するフィルタ内空間と外気とを前記フィルタ装置を介さずに連通させる空気通路を形成する通路部材と、
前記通路部材を開閉可能に閉じる閉塞部と、を備え、
前記通路部材は、前記フィルタ内空間に臨む複数の第１開口部を、前記上下方向と平行な軸を中心とする軸周り方向の異なる位置に有する。
本発明のもう１つの態様は、集塵機である。この集塵機は、
吸込口と連通し、塵埃を収容する集塵室と、
上下方向に延びる出力軸を有するモータと、
前記モータにより駆動する集塵ファンと、
前記モータ及び前記集塵ファンを有する本体と、
前記集塵室内に設けられ、前記吸込口から吸い込まれた空気が通過する際に塵埃を分離するフィルタ装置と、
前記フィルタ装置を通過した空気が進入するフィルタ内空間と外気とを前記フィルタ装置を介さずに連通させる空気通路を形成する通路部材と、
前記通路部材を開閉可能に閉じる閉塞部と、を備え、
前記通路部材は、前記フィルタ内空間に臨む第１開口部を有し、
前記第１開口部は、前記上下方向と平行な軸を中心とする軸周り方向において互いに９０度以上異なる位置で前記通路部材の内側の空間と前記フィルタ内空間とを互いに連通させる。
【手続補正５】
【補正対象書類名】明細書
【補正対象項目名】００２０
【補正方法】変更
【補正の内容】
【００２０】
ヘッド部２０は、タンク部１０の上部に、例えば図示しないクランプ機構によって着脱可能に固定される。ヘッド部２０は、ヘッドハウジング２１の内部に、モータ２３と、モータ冷却用ファン２４と、集塵ファン２５と、を有する。ヘッドハウジング２１の一部を構成するファンカバー２７は、タンク部１０の内部に入り込み、フィルタ内空間１４と、集塵ファン２５を収容したファン室２８と、を隔てる。ファンカバー２７はフィルタ装置１２と略同軸の略筒形状であり、フィルタ装置１２の上方からフィルタ装置１２の内部へ入り込むように下方（ヘッド部２０から見てタンク部１０側）へ凸となるため、ファンカバー２７の外周とフィルタ装置１２の内周とで形成されるフィルタ内空間１４は、ファンカバー２７の中心軸方向においてファンカバー２７と重なる範囲においては、環状に形成される。
【手続補正６】
【補正対象書類名】明細書
【補正対象項目名】００２１
【補正方法】変更
【補正の内容】
【００２１】
モータ２３は、その出力軸２３Ａが上下方向に延びるようにヘッド部２０内に配設される。モータ２３はここではブラシレスモータであり、モータ２３の上部には、モータ２３に駆動電流を供給するためのスイッチング素子を搭載したスイッチング素子基板２６が上下方向と略垂直に設けられる。モータ冷却用ファン２４と集塵ファン２５は、モータ２３の出力軸２３Ａに取り付けられ、モータ２３によって回転駆動される。モータ冷却用ファン２４は、モータ２３の直下に位置する軸流ファンであり、下方に向かう気流を発生する。集塵ファン２５は、モータ冷却用ファン２４の下方に設けられた遠心ファンである。
【手続補正７】
【補正対象書類名】図面
【補正対象項目名】図１
【補正方法】変更
【補正の内容】
【図１】
2019116681.tif 000010
【手続補正８】
【補正対象書類名】図面
【補正対象項目名】図４
【補正方法】変更
【補正の内容】
【図４】
2019116681.tif 000011
【国際調査報告】
2019116681.tif 000012
2019116681.tif 000013